(57)【特許請求の範囲】
【請求項１】
光源装置と、
前記光源装置から射出された光を変調する光変調素子と、
前記光変調素子の光入射側に設けられる、偏光板又は位相差板と、
前記光変調素子の光入射側に冷却風を供給する冷却装置と、
前記光変調素子と、前記偏光板又は前記位相差板の間において、前記冷却装置からの前記冷却風が前記光変調素子の光入射面に向かう経路の途中に配置され、基端部から先端部へ向かって漸次幅が狭まる形状のフィンを有する乱流板と、を備え、
前記乱流板は、前記フィンの先端部が前記冷却風の流れる方向に対して前記冷却風の風上に向くように傾斜して配置されるプロジェクター。
【請求項２】
前記フィンにおける前記光変調素子の光入射面と反対側の面には光吸収膜が設けられていることを特徴とする請求項１に記載のプロジェクター。
【請求項３】
光源装置と、
前記光源装置から射出された光を変調する光変調素子と、
前記光変調素子の光入射側に設けられる、偏光板又は位相差板と、
前記光変調素子の光入射側に冷却風を供給する冷却装置と、
前記光変調素子と、前記偏光板又は前記位相差板の間において、前記冷却装置からの前記冷却風が前記光変調素子の光入射面に向かう経路の途中に配置され、基端部から先端部へ向かって漸次幅が狭まる形状のフィンを有する乱流板と、を備え、
前記乱流板は、前記フィンの先端部が前記冷却風の流れる方向に対して前記冷却風の風下に向くように傾斜して配置されるプロジェクター。
【請求項４】
前記フィンにおける前記光変調素子の光入射面に対向する面には光吸収膜が設けられていることを特徴とする請求項３に記載のプロジェクター。
【請求項５】
前記光には前記光入射面の周囲の領域を照明するマージン領域が設定されており、前記フィンの先端部が前記マージン領域の一部における前記光を遮光するように配置されていることを特徴とする請求項３又は４に記載のプロジェクター。
【請求項６】
前記乱流板は、前記フィンの前記基端部側が前記光変調素子の前記光入射側に配置されることを特徴とする請求項１〜５のいずれか一項に記載のプロジェクター。
【請求項７】
前記光変調素子の前記光入射側には遮光板が設けられており、
前記遮光板の一部が前記乱流板を構成することを特徴とする請求項１〜６のいずれか一項に記載のプロジェクター。
【請求項８】
前記乱流板は前記フィンを複数含み、該複数のフィンは前記冷却風が前記光入射側に向かって流れる方向と交差する方向に沿って配置されていることを特徴とする請求項１〜７のいずれか一項に記載のプロジェクター。
【発明の詳細な説明】
【技術分野】
【０００１】
本発明は、プロジェクターに関するものである。
【背景技術】
【０００２】
従来、光源から射出された光束を画像情報に応じて変調して投影するプロジェクターにおいて、液晶ライトバルブ等の冷却対象物と冷却空気の吹き出し口の間に細線を配置して空気を送風することで乱流を発生させることで冷却を行う技術が知られている（例えば、特許文献１参照）。
【先行技術文献】
【特許文献】
【０００３】
【特許文献１】特開２００３−６６５３４号公報
【発明の概要】
【発明が解決しようとする課題】
【０００４】
しかしながら、上記特許文献１に開示される従来技術では、液晶ライトバルブ及び偏光板間の隙間が狭くなると、発生した乱流の渦が隙間に入る際に消えて層流となってしまい、良好な冷却効果が得られないといった問題があった。そこで、冷却効果を高めるために冷却装置の出力を高めることも考えられるが、この場合、冷却装置が駆動する際の騒音が問題となってしまう。あるいは、液晶ライトバルブとして熱伝導率が高い材料を用いることで冷却効果を高めることも考えられるが、この場合、コストの増加が問題となってしまう。
【０００５】
本発明はこのような事情に鑑みてなされたものであって、騒音化及びコストダウン化を実現しつつ、ライトバルブを効率的に冷却できるプロジェクターを提供することを目的とする。
【課題を解決するための手段】
【０００６】
上記の課題を解決するために、本発明のプロジェクターは、光源装置と、前記光源装置から射出された光を変調する光変調素子と、前記光変調素子の光入射側に設けられる、偏光板又は位相差板と、前記光変調素子の光入射側に冷却風を供給する冷却装置と、前記光変調素子と、前記偏光板又は前記位相差板との間において、前記冷却装置からの前記冷却風が前記光変調素子の前記光入射面に向かう経路の途中に配置され、基端部から先端部へ向かって漸次幅が狭まる形状のフィンを有する乱流板と、を備え、前記乱流板は、前記フィンの先端部が前記冷却風の流れる方向に対して前記冷却風の風上に向くように傾斜して配置されることを特徴とする。
また、本発明のプロジェクターは、光源装置と、前記光源装置から射出された光を変調する光変調素子と、前記光変調素子の光入射側に設けられる、偏光板又は位相差板と、前記光変調素子の光入射側に冷却風を供給する冷却装置と、前記光変調素子と、前記偏光板又は前記位相差板の間において、前記冷却装置からの前記冷却風が前記光変調素子の光入射面に向かう経路の途中に配置され、基端部から先端部へ向かって漸次幅が狭まる形状のフィンを有する乱流板と、を備え、前記乱流板は、前記フィンの先端部が前記冷却風の流れる方向に対して前記冷却風の風下に向くように傾斜して配置されることを特徴とする。
【０００７】
本発明のプロジェクターは、光変調素子と、偏光板又は位相差板との間に基端部から先端部へ向かって漸次幅が狭まるフィンを有する乱流板を備えることにより光変調素子の光入射面に供給される冷却風に乱流を発生させ、乱流状態を維持したまま光入射面に冷却風を供給することができ、光変調素子を効率的に冷却することができる。よって、冷却効率が向上するので熱による光変調素子の劣化を防止するとともに、冷却装置の出力が抑えられることで冷却装置の低騒音化を実現できる。また、冷却効率が高いので各部材の材料選択幅が広がり、コストダウンを実現できる。
【０００８】
また、上記プロジェクターにおいては、前記乱流板は、前記フィンの前記基端部側が前記光変調素子の前記光入射側に配置されることが好ましい。
この構成によれば、光変調素子の光入射面側から離間した位置にフィンの先端部が位置するので、フィンの先端部により乱流の渦が発生した冷却風を光変調素子に衝突させることで光入射面を効率的に冷却することができる。
【０００９】
また、上記プロジェクターにおいては、前記光変調素子の前記光入射側には遮光板が設けられており、前記遮光板の一部が前記乱流板を構成することが好ましい。
この構成によれば、遮光板の一部により乱流板が構成されるので、プロジェクターを構成する部品点数を少なくすることができ、製造コストを低減できる。
【００１０】
また、上記プロジェクターにおいては、前記乱流板は前記フィンを複数含み、該複数のフィンは前記冷却風が前記光入射側に向かって流れる方向と交差する方向に沿って配置されていることが好ましい。
この構成によれば、冷却風が流れる方向と交差する方向に沿って複数のフィンが配置されるので、光変調素子の光入射面の全面を効率的に冷却することができる。
【００１１】
また、上記プロジェクターにおいては、前記乱流板は、前記フィンの先端部が前記冷却風の流れる方向に対して前記冷却風の風上に向くように傾斜して配置されることが好ましい。
この構成によれば、フィンの先端部が冷却風の風上に向けて配置されるので、発生する乱流の渦を大きくすることができ、冷却効率を向上させることができる。
【００１２】
また、上記プロジェクターにおいては、前記フィンにおける前記光変調素子の光入射面と反対側の面には光吸収膜が設けられていることが好ましい。
この構成によれば、光源装置から入射する光を吸収することができる。よって、フィンの表面で反射された光が光入射面に対して所定角度以上の角度で入射することで例えば光リークによって光変調素子の駆動素子に誤作動を生じさせるといった問題の発生を防止することができる。
【００１３】
また、上記プロジェクターにおいては、前記乱流板は、前記フィンの先端部が前記冷却風の流れる方向に対して前記冷却風の風下に向くように傾斜して配置されることが好ましい。
この構成によれば、光変調素子に入射する不要な光を乱流板によって遮光することができるので、結果的に冷却効率を向上させることができる。
【００１４】
また、上記プロジェクターにおいては、前記フィンにおける前記光変調素子の光入射面に対向する面には光吸収膜が設けられていることが好ましい。
この構成によれば、光変調素子の光入射面で反射された光を吸収することができる。よって、光入射面で反射された光が再反射されることで例えば光変調素子の駆動素子に入射することで光リークによる誤作動が生じるといった問題を解消することができる。
【００１５】
また、上記プロジェクターにおいては、前記光には前記光入射面の周囲の領域を照明するマージン領域が設定されており、前記フィンの先端部が前記マージン領域の一部における前記光を遮光するように配置されていることが好ましい。
この構成によれば、フィンの先端部がマージン領域における光を遮光するように配置されるので、マージン成分の光が光入射面の周囲に入射することによる光変調素子の温度上昇を抑制することができる。
【図面の簡単な説明】
【００１６】
【図１】第１実施形態に係るプロジェクターの概略構成を示す図である。
【図２】第１実施形態に係る液晶ライトバルブの周辺部における概略構成図である。
【図３】第１実施形態に係る液晶ライトバルブの周辺構成の斜視図。
【図４】第１実施形態に係る液晶ライトバルブに入射する照明光を説明するための図である。
【図５】乱流板を設けることによる効果を説明するための図である。
【図６】第２実施形態に係る液晶ライトバルブの周辺部における概略構成図である。
【図７】第２実施形態に係る液晶ライトバルブの周辺構成の斜視図である。
【図８】第２実施形態に係るフィンの効果を説明するための図である。
【発明を実施するための形態】
【００１７】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造における縮尺や数等が異なっている。
【００１８】
（第１実施形態）
図１は、本発明の第１実施形態に係るプロジェクター１の概略構成を示す模式図である。
プロジェクター１は、光源から射出される光を画像情報に応じて変調してカラー画像（画像光）を形成し、このカラー画像をスクリーン等の投射面（図示略）上に拡大投射する。このプロジェクター１は、図１に示すように、略直方体状の外装筐体２と、投射レンズ３と、光学装置４と、冷却装置５を備える。
【００１９】
また、図１において、具体的な図示は省略したが、外装筐体２内には、プロジェクター１の内部の各構成部材に電力を供給する電源装置、及びプロジェクター１の内部の各構成部材を制御する制御装置、内部空間Ｐの空気を外部に排出する排気ファン３００が配置されている。
【００２０】
投射レンズ３は、複数のレンズを組み合わせた組レンズとして構成され、光学装置４にて形成されたカラー画像を拡大投射する。
【００２１】
光学装置４は、前述した制御装置による制御の下、光源から射出された光を光学的に処理することで画像情報に応じたカラー画像を形成する。この光学装置４は、光源装置４１と、照明光学装置４２と、色分離光学装置４３と、リレー光学装置４４と、画像形成系４５と、これら各光学部品を内部に設定された照明光軸Ａに対する所定位置に配置する光学部品用筐体４６と、を備える。
【００２２】
光源装置４１は、光を射出する光源ランプ４１１と、光源ランプ４１１から射出される光の射出方向を揃えるリフレクタ４１２とを備える。そして、リフレクタ４１２にて射出方向が揃えられた光は、照明光学装置４２に向けて射出される。光源装置４１の近傍には、発熱する光源ランプ４１１を冷却するためのランプ冷却用ファン４７が配置されている。
【００２３】
照明光学装置４２は、第１レンズアレイ４２１、第２レンズアレイ４２２、偏光変換素子４２３、及び重畳レンズ４２４を備える。そして、光源装置４１から射出された光は、第１レンズアレイ４２１によって複数の部分光に分割され、第２レンズアレイ４２２の近傍で結像する。第２レンズアレイ４２２から射出された各部分光は、その中心軸（主光線）が偏光変換素子４２３の入射面に垂直となるように入射し、偏光変換素子４２３にて略１種類の直線偏光として射出される。偏光変換素子４２３から直線偏光として射出され、重畳レンズ４２４を介した複数の部分光は、冷却対象物である画像形成系４５の後述する３つの液晶ライトバルブ（光変調素子）４５１上で重畳する。
【００２４】
色分離光学装置４３は、２つのダイクロイックミラー４３１，４３２、及び反射ミラー４３３を備え、照明光学装置４２から射出された複数の部分光を赤、緑、青の３色の色光に分離する機能を有する。
リレー光学装置４４は、入射側レンズ４４１、リレーレンズ４４３、及び反射ミラー４４２，４４４を備え、色分離光学装置４３にて分離された色光、例えば、赤色光を画像形成系４５の後述する赤色光側の液晶ライトバルブ４５１Ｒまで導く機能を有する。
【００２５】
画像形成系４５は、入射した光を画像情報に応じて変調してカラー画像を形成するものである。この画像形成系４５は、３つの液晶ライトバルブ４５１（赤色光用の液晶ライトバルブを４５１Ｒ、緑色光用の液晶ライトバルブを４５１Ｇ、青色光用の液晶ライトバルブを４５１Ｂとする）と、各液晶ライトバルブ４５１の光路前段側に配置される入射側偏光板４５２と、各液晶ライトバルブ４５１の光路後段側に配置される射出側偏光板４５３と、クロスダイクロイックプリズム４５４とを備える。
【００２６】
各入射側偏光板４５２は、偏光変換素子４２３で揃えられた偏光方向と略同一の偏光方向を有する光のみ透過させ、その他の光を吸収するものであり、透光性基板上に偏光膜が貼付されて構成されている。液晶ライトバルブ４５１は、前述した制御装置からの駆動信号によって液晶の配向状態が制御されることで入射側偏光板４５２から射出された光の偏光方向を変調する。各射出側偏光板４５３は、入射側偏光板４５２と略同様の機能を有し、液晶ライトバルブ４５１にて変調された光のうち、一定の偏光方向を有する光を透過し、その他の光を吸収する。
【００２７】
色分離光学装置４３からの青色光は、液晶ライトバルブ４５１Ｂに供給される。ここで、ダイクロイックミラー４３１で反射した青色光が、反射ミラー４３３で反射され、フィールドレンズ７０１及び入射側偏光板４５２を介して液晶ライトバルブ４５１Ｂに入射する。
【００２８】
色分離光学装置４３からの緑色光は、液晶ライトバルブ４５１Ｇに供給される。ここで、ダイクロイックミラー４３２で反射した緑色光が、フィールドレンズ７０１及び入射側偏光板４５２を介して液晶ライトバルブ４５１Ｇに入射する。
【００２９】
色分離光学装置４３からの赤色光は、液晶ライトバルブ４５１Ｂに供給される。ここで、ダイクロイックミラー４３２を透過した赤色光は、リレー光学装置４４（入射側レンズ４４１、リレーレンズ４４３、反射ミラー４４２，４４４）、フィールドレンズ７０１及び入射側偏光板４５２を介して液晶ライトバルブ４５１Ｒに入射する。
【００３０】
クロスダイクロイックプリズム４５４は、各射出側偏光板４５３から射出された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これらの誘電体多層膜は、液晶ライトバルブ４５１Ｇから射出され射出側偏光板４５３を介した色光を透過し、液晶ライトバルブ４５１Ｒ，４５１Ｂから射出され射出側偏光板４５３を介した各色光を反射する。このようにして、各色光が合成されてカラー画像が形成される。そして、クロスダイクロイックプリズム４５４で形成されたカラー画像は、前述した投射レンズ３にて拡大投射される。
【００３１】
プロジェクター１は、光学装置４から射出された光束により、偏光変換素子４２３や画像形成系４５（液晶ライトバルブ４５１、入射側偏光板４５２、射出側偏光板４５３）等が発熱する。特に液晶ライトバルブ４５１が発熱して高温状態になると、液晶の動作不良やライトバルブの劣化が生じ、これにより光変調動作が不良となることで良好なカラー画像が表示できなくなるといった問題が生じてしまう。これに対し、本実施形態に係るプロジェクター１では、画像形成系４５を冷却装置５で冷却することで液晶ライトバルブ４５１を一定温度以下に保持するようにしている。
【００３２】
冷却装置５は、外装筐体２の側壁２ａに形成された吸気口２Ａに接続され、外気を外装筐体２内に吸引して吐出する吸引ファン（冷却ファン）５０と、吸引ファン５０を介して吸い込んだ空気を冷却風として各液晶ライトバルブ４５１へ流通させるダクト７０と、フィルター１２と、を備える。ダクト７０は、一端側が吸引ファン５０に接続され、他端側が各液晶ライトバルブ４５１の側端部に配置されている。これにより、ダクト７０は、プロジェクター１外部の外気を各液晶ライトバルブ４５１へ流通させることで該液晶ライトバルブ４５１を冷却する構成となっている。吸気口２Ａにはフィルター１２がはめ込まれており、外気とともに塵やごみが吸引されて吸気ダクト７０内へ流入するのを防止している。
【００３３】
液晶ライトバルブ４５１を冷却して暖められた熱風は外装筐体２内の内部空間Ｐに排出され、排気ファン３００を介してプロジェクター１の外部に排出されるようになっている。
【００３４】
ところで、液晶ライトバルブ４５１を効率的に冷却するためには、冷却対象となる各液晶ライトバルブ４５１における光入射面４５１ａに対し、ダクト７０から供給される空気を冷却風として良好に供給する必要がある。
【００３５】
通常、液晶ライトバルブ４５１の光入射面側には、入射側偏光板４５２が光入射面４５１ａに近接した状態（間隔２ｍｍ〜３ｍｍ）で配置されているため、ダクト７０から供給された冷却風の流れは液晶ライトバルブ４５１と入射側偏光板４５２との隙間においては層流となってしまい、光入射面４５１ａに冷却風が当たらないので、液晶ライトバルブ４５１を効率的に冷却することが困難となってしまう。
【００３６】
本実施形態に係るプロジェクター１は、上述した問題を解消することで液晶ライトバルブ４５１を効率的に冷却することを実現したものである。図２は液晶ライトバルブ４５１の周辺部における概略構成図である。
【００３７】
本実施形態に係る各液晶ライトバルブ４５１は、図２に示すように、ＴＦＴ基板１１０と対向基板１１１との間に電気光学物質である液晶が密閉封入された構成を有している。ＴＦＴ基板１１０は、複数の画素に対応して設けられた画素電極（不図示）と、該画素電極を駆動するためのスイッチング素子としてのＴＦＴ素子が形成された基板である。また、対向基板１１１は、液晶に対して上記画素電極との間で電圧を印可する対向電極が形成された基板である。
【００３８】
また、本実施形態に係る液晶ライトバルブ４５１は、さらにＴＦＴ基板１１０及び対向基板１１１を挟持する一対の透明なガラス基板からなる防塵ガラス１１２を有している。これにより、ＴＦＴ基板１１０及び対向基板１１１の表面に塵や埃等が付着するのを防止している。
【００３９】
各液晶ライトバルブ４５１は、フレーム部材１２０に取り付けられている。フレーム部材１２０はクロスダイクロイックプリズム４５４に固定され、各液晶ライトバルブ４５１とクロスダイクロイックプリズム４５４が一体化される。クロスダイクロイックプリズム４５４は図示しない固定部品を介して光学部品用筐体４６（図１参照）に固定されている。これにより、各液晶ライトバルブ４５１は、光学部品用筐体４６（プロジェクター１）に良好に取り付けられている。
【００４０】
遮光板１２１は、フレーム部材１２０の光入射側に取付けられ、光源装置４１から入射する光のうち液晶ライトバルブ４５１の有効領域の外側の不要な光を反射することで液晶ライトバルブ４５１の発熱を低減するためのものであって、例えばＳＵＳ等の反射率の高い材料から構成されている。
【００４１】
本実施形態に係るプロジェクター１は、ダクト７０から供給された冷却風が液晶ライトバルブ４５１の光入射面４５１ａに向かう経路の途中に乱流板１６０を備えている。具体的に乱流板１６０は、遮光板１２１の一部から構成されている。このように乱流板１６０を遮光板１２１と一体構造とすることでプロジェクター１を構成する部品点数を削減し、製造コストの低減を図っている。なお、乱流板１６０は、遮光板１２１とは別の部材から構成しても、遮光板１２１に螺子等により取り付けられた構成を採用しても構わない。
【００４２】
図３は液晶ライトバルブ４５１の周辺構成の斜視図である。また、図４は液晶ライトバルブ４５１に入射する照明光を説明するための図である。なお、図３、４においては図示を見やすくするため、入射側偏光板４５２の図示を省略している。
乱流板１６０は、図３に示されるように、冷却風の流れる方向と交差（直交）する方向に沿って配置された複数のフィン１６１を有する。
【００４３】
各フィン１６１は、基端部１６１ｂから先端部１６１ａへ向かって漸次幅が狭まる形状となっており、具体的に本実施形態では二等辺三角形状で構成されている。乱流板１６０は各フィン１６１の基端部１６１ｂが液晶ライトバルブ４５１の光入射面４５１ａ側に配置された構成となっている。乱流板１６０は、フィン１６１の先端部１６１ａが冷却風の風下に向くように冷却風の流れる方向に対して傾斜して構成されている。これにより、液晶ライトバルブ４５１の光入射面４５１ａから離間した位置にフィン１６１の先端部１６１ａが位置するので、冷却風がフィン１６１の間を流れることにより乱流の渦が発生し、液晶ライトバルブ４５１に衝突されることで光入射面４５１ａを効率的に冷却可能としている。
【００４４】
ここで、フィールドレンズ７０１及び入射側偏光板４５２を介して液晶ライトバルブ４５１に入射する光は、通常、図４に示されるように液晶ライトバルブ４５１の光入射面４５１ａの所定範囲に収まる所定領域Ｍを設定するが、部材のバラツキ等を考慮してマージン領域ＭＡを確保している。これにより、上述のような部材のバラツキが生じた場合であっても光入射面４５１ａの全面に光を入射させるようにしている。
【００４５】
本実施形態に係る乱流板１６０は、各フィン１６１の先端部１６１ａがマージン領域ＭＡの一部における光を遮光するように配置されている。これにより光入射面４５１ａの全面には光を確実に入射させつつ、フレーム部材１２０や遮光板１２１等の液晶ライトバルブ４５１の光入射面４５１ａの周囲に入射して熱となってしまう光を減らすことができる。よって、液晶ライトバルブ４５１における発熱量を抑えることができる。
よって、乱流板１６０を設けることによって、冷却効率の向上および入射する不用光の遮光によって液晶ライトバルブ４５１における温度上昇を抑制することができる。
【００４６】
また、各フィン１６１は、液晶ライトバルブ４５１の光入射面４５１ａと対向する面１６３には光吸収膜１６２が設けられている。光吸収膜１６２は、フィン１６１を構成する材料に比べて、反射率を低くした膜から構成され、例えば三価亜鉛メッキを用いることができる。
【００４７】
この構成によれば、遮光板１２１または液晶ライトバルブ１６１の画素電極によって反射された迷光がフィン１６１の面１６３に入射した場合であっても、本実施形態によれば、上述のようにフィン１６１に光吸収膜１６２が設けられているので、迷光がフィン１６１で再度反射されることで光入射面４５１ａに所定の角度以上で入射し、光リークによってＴＦＴ素子に誤作動を生じさせるといった不具合の発生を防止できる。
【００４８】
ここで、本実施形態に係る乱流板１６０を設けることにより、作用について説明する。ダクト７０から供給された冷却風は、乱流板１６０の各フィン１６１を通過する際に、フィン１６１を通過するものと阻まれるものとが発生し、フィン１６１の側面を回り込んだ２つの流れが再度合流するため、フィン１６１の近傍に気圧差が発生し、乱流となる。
【００４９】
フィン１６１を通過した冷却風は、光入射面４５１ａに近接して配置された入射側偏光板４５２に向かった後、相対的に圧力の低い光入射面４５１ａ側に引き寄せられることで光入射面４５１ａに衝突する。これにより、冷却風は光入射面４５１ａを良好に冷却することができる。また、フィン１６１は、先端部１６１ａが光入射面４５１ａと入射側偏光板４５２の間の中央よりも入射側偏光板４５２側となるように設定されている。このようにすることで冷却風がフィン１６１を通り乱流を発生させることができる。
【００５０】
図５は、乱流板１６０を設けたことによる冷却効果を示した実験データを示すものであり、本実施形態に係るプロジェクター１における液晶ライトバルブ４５１の光入射面４５１ａの温度と冷却装置５のファン５０の風速との関係を示したグラフである。なお、図５中のグラフにおいて、丸印のプロットは乱流板１６０を設けなかった場合、四角印のプロットは本実施形態に係る乱流板１６０を設けた場合の上記関係を示すものである。また、同図中におけるファンＤｕｔｙ（単位；％）とは、冷却装置５のファン５０を駆動する際の駆動Ｄｕｔｙを示すものである。すなわち、Ｄｕｔｙが増加するとファン５０の出力が上がることで冷却風の風量が増加することを意味する。
【００５１】
図５に示されるように、乱流板１６０を設けた場合（四角印プロットが示す結果）、乱流板１６０を設けない場合（丸印プロットが示す結果）に比べて、液晶ライトバルブ４５１の光入射面４５１ａの表面温度が低下することが確認できる。すなわち、乱流板１６０を設けることで液晶ライトバルブ４５１の光入射面４５１ａを効率的に冷却できることが確かめられた。
【００５２】
以上述べたように、本実施形態に係るプロジェクター１によれば、基端部１６１ｂから先端部１６１ａへ向かって漸次幅が狭まる形状のフィン１６１により液晶ライトバルブ４５１の光入射面４５１ａに供給される冷却風に乱流を発生させることができ、液晶ライトバルブ４５１を効率的に冷却できる。よって、冷却効率が向上するので熱による液晶ライトバルブ４５１の劣化を防止できる。また、冷却装置５のファン５０の出力を抑えることができるので、冷却装置５（ファン５０）の駆動Ｄｕｔｙを抑えることで低騒音化を実現できる。また、冷却効率が高いので液晶ライトバルブ４５１を構成する各基板の熱導電率を考慮する必要が無くなるので、サファイア基板等といった高コストの材料を用いる必要が無く、水晶基板等の低コストの材料を採用可能となる結果、材料選択幅が広がり、プロジェクター１のコストダウンを図ることができる。
【００５３】
また、乱流板１６０は、複数のフィン１６１が冷却風の流れる方向と交差（直交）する方向に沿って複数配置されているので、液晶ライトバルブ４５１の光入射面４５１ａの全面を効率的に冷却することができる。
【００５４】
（第２実施形態）
続いて、本発明の第２実施形態について説明する。本実施形態と第１実施形態との違いは、乱流板１６０のフィン１６１の傾斜方向であり、それ以外の構成は同一である。従って、以下の説明においては、上記実施形態と同一の構成及び部材については同じ符号を付し、その詳細な説明については省略若しくは簡略化する。
【００５５】
図６は本実施形態における液晶ライトバルブ４５１の周辺部における概略構成図であり、図７は液晶ライトバルブ４５１の周辺構成の斜視図である。なお、図７においては図示を見やすくするため、入射側偏光板４５２の図示を省略している。
本実施形態に係る乱流板１６０は、図６、７に示すように、フィン１６１の先端部１６１ａが冷却風の風上に向くように冷却風の流れる方向に対して傾斜するように構成されている。
【００５６】
本発明者が行った実験に基づき、フィン１６１の先端部１６１ａを冷却風の風上となるように冷却風の流れる方向に対してフィン１６１を傾斜した場合、第１実施形態のように先端部１６１ａを風下に向けて配置した場合に比べ、冷却風がフィン１６１を通過した際に生じる乱流の渦が大きくなることが分かっている。従って、本実施形態によれば、第１実施形態に係るプロジェクター１に比べ、液晶ライトバルブ４５１の冷却風による冷却効率を向上させることができる。
【００５７】
また、各フィン１６１は、液晶ライトバルブ４５１の光入射面４５１ａと反対側の面１６４（光源装置４１側から光が入射する側を向く面）には光吸収膜１６２が設けられている。光吸収膜１６２は、フィン１６１を構成する材料に比べて、反射率を低くした膜から構成されるものである。第１実施形態と同様に例えば三価亜鉛メッキを用いることができる。
【００５８】
このような構成に基づいて、部材のバラツキに起因した迷光や、マージン領域の光が乱流板１６０の各フィン１６１に照射されたとしても、上述のようにフィン１６１に光吸収膜１６２が設けられているので、図８に示すように光がフィン１６１で反射されることで光入射面４５１ａに所定の角度以上で入射し、光リークによってＴＦＴ素子に誤作動を生じさせるといった不具合の発生を防止することができる。
【００５９】
以上述べたように、本実施形態に係るプロジェクター１によれば、基端部１６１ｂから先端部１６１ａへ向かって漸次幅が狭まる形状のフィン１６１により冷却風により大きな乱流の渦を発生させることで、液晶ライトバルブ４５１をより効率的に冷却できる。よって、第１実施形態と同様、液晶ライトバルブ４５１の劣化防止、冷却装置５（ファン５０）の低騒音化、及びコストダウンを実現できる。
【００６０】
なお、本発明は上記実施形態に限定されることは無く、発明の趣旨を逸脱しない範囲内において適宜変更可能である。
【００６１】
例えば、上記実施形態では、乱流板１６０として、略三角形状のフィン１６１を備えたものを例に挙げたが、乱流板１６０の形状はこれに限定されることはない。例えば、フィン１６１の形状として上記実施形態では二等辺三角形の場合を例に挙げたが、正三角形、或いは直角三角形等の他の三角形状の他、基端部１６１ｂから先端部１６１ａ側に向かって漸次幅が狭くなる形状であれば三角形以外の種々の形状が適用可能である。
【００６２】
また、上記実施形態では、乱流板１６０が複数（６つ）のフィン１６１を備える場合を例に説明したが、フィン１６１の数はこれに限定されることはなく、冷却風を液晶ライトバルブ４５１の光入射面４５１ａに対し良好に導くことができるのであればフィン１６１を１個だけ備えた構成であっても構わない。
【００６３】
また、上記実施形態では、１つのファン５０を駆動させることでダクト７０から各液晶ライトバルブ４５１に対して冷却風を供給する構成を例に挙げて説明したが、液晶ライトバルブ４５１毎にダクト７０を個別に設置し、各ダクト７０にそれぞれ小型のファンを設置するような構成を採用しても構わない。
【００６４】
また、上記実施形態では、液晶ライトバルブ４５１の光入射面４５１ａと入射側偏光板４５２との間にダクト７０から冷却風を供給する場合を例に説明したが、入射側偏光板４５２の代わりに位相差板が設けられた構成において、位相差板と液晶ライトバルブ４５１の光入射面４５１ａとの間に冷却風を効率的に供給する場合についても本発明は適用可能である。
【符号の説明】
【００６５】
１…プロジェクター、５…冷却装置、４１…光源装置、１２１…遮光板、１６０…乱流板、１６１…フィン、１６１ａ…先端部、１６１ｂ…基端部、１６２…光吸収膜、４５１…液晶ライトバルブ（光変調素子）、４５１ａ…光入射面、４５２…入射側偏光板
【図１】
0005867037.tif 000002
【図２】
0005867037.tif 000003
【図３】
0005867037.tif 000004
【図４】
0005867037.tif 000005
【図５】
0005867037.tif 000006
【図６】
0005867037.tif 000007
【図７】
0005867037.tif 000008
【図８】
0005867037.tif 000009